(57)【要約】【課題】回転刃の装着・長さの調整を容易に短時間で実施できる。【解決手段】チップ３及びボデー４からなる回転刃５にその長さを調整する調整ボルト７を取り付け、回転刃の装着に際しては、あらかじめ、ジグ９を用いて前記の調整ボルトを調節して調整ボルトを含む回転刃の長さを規定の長さＬに正確に揃え、刃先１４の位置が均一に所定の位置になるようにしておく。規定長さに調整済みの回転刃を締付ボルト１０によりロータリーホルダ２に装着する。装着時の調整は不要であってロータリカッタを直ちに運転することができる。【選択図】図２
2007098340.tif 000002
【特許請求の範囲】
【請求項１】
回転軸（１）に取り付けた海星状ロータリーホルダ（２）と、前記ロータリーホルダ先端に装着されたチップ（３）及びボデー（４）からなる回転刃（５）と、回転刃に対峙して回転周縁に固定された固定刃（６）とを組み合わせたロータリーカッタにおいて、回転刃には、装着前に回転刃の長さを規定の長さ（Ｌ）に調整するための調整ボルト（７）、及びロータリーホルダに固定するための締付ボルト孔（８）が設けられていることを特徴とするロータリーカッタ。
【請求項２】
前記ロータリーカッタが、複数枚の海星状ロータリーホルダを重ね合わせて回転軸に取り付けられているものであることを特徴とする請求項１に記載のロータリーカッタ。
【請求項３】
回転する海星状ロータリーホルダの先端に装着された回転刃と、前記回転刃に対峙して回転周縁に固定された固定刃とを組み合わせたロータリカッタにおいて、チップ及びボデーからなる回転刃にその長さを調整する調整ボルトを取り付け、回転刃の装着に際しては、あらかじめジグ（９）を用い調整ボルトを調節して回転刃を規定の長さに調整した後、回転刃をロータリーホルダの先端に当てがい締付ボルト（１０）によりロータリーホルダに固定することを特徴とするロータリーカッタの調整方法。
【発明の詳細な説明】
【技術分野】
【０００１】
本発明は海星状ロータリーホルダの先端に装着された回転刃とこれに対峙する固定刃とを組み合わせ、プラスチック、金属などを細断し、破砕し、あるいはペレタイジングするロータリーカッタ及びその回転刃の調整方法に関する。
【背景技術】
【０００２】
ロータリーカッタは、じん性の大きな材料を切断し、粉砕し、あるいはペレタイジングするのに便利なので、従来から合成繊維、プラスチック加工品の製造工程、加工工程、プラスチック、金属等の固体資源リサイクル工程など、多くの分野で使用されている。ロータリーカッタには使用目的に対応して多くの実施形態がみられるが、海星状ロータリーホルダ先端に取り付けた回転刃とこれに対峙して固定された固定刃とを組合せ、剪断力を利用して処理する、基本的な形態に大きな相異はないので、その一例を示す図４および図５を参照してロータリーカッタを説明する。
【０００３】
ここに例示したロータリーカッタは、固体資源のリサイクル工程に好んで用いられるものであって、ロータリークラッシャなどと呼ばれることもある。円筒状のケーシング１１を横方向にして上方に被処理物の投入口１２が設けられ、所要の寸法以下に切断・破砕された小片をふるい分けるため、ケーシング１１の下面にスクリーン１３が取り付けられている。固定刃６は、ケーシング１１の内周面母線方向に１又は複数を取り付ける。回転刃５は、チップ（切刃）３とチップ３を支持するボデー（シャンク）４とからなり、ボデー４には回転刃５を固定するための締付ボルト孔８があり、ロータリーホルダ２の各先端に装着される。
【０００４】
回転刃５は、海星状のロータリーホルダ２の各先端に設けた切欠きに嵌められ、各刃先１４が固定刃６と所要の間隙を均等に保持して同一円周上を回転するようにスペーサを挟むなどして、個々に刃先１４の位置を調整され、回転刃締付ボルト１０によりロータリーホルダ２に固定されている。前記ロータリーホルダ２は、ケーシング１１内の軸方向に設けられた回転軸１に直角に、１枚若しくは複数枚を重ねて取り付けられている。そして、供給された材料は、回転軸１により高速回転する回転刃５と、固定刃６との間で剪断力を受けて切断もしくは粉砕される。従ってロータリカッタを円滑に効率よく運転するには、回転刃５及び固定刃６を正確に所定の位置に装着しなければならない。
【０００５】
【特許文献１】特開２００４−１７４３０４号公報
【発明の開示】
【発明が解決しようとする課題】
【０００６】
ところで、回転刃は、装置を稼働した後も刃先の損耗や刃こぼれを修正するため、定期的もしくは作動状況に応じ、ロータリーホルダから取り外して刃先を研磨し、あるいは新しい回転刃と交換する必要がある。その結果、回転刃は、通常、新規に装着される刃、研磨・補修されて取り付けられる刃等が混在し、回転刃の長さ（刃先１４からロータリホルダ回転刃取付面１６に接する刃元面までの長さ）がまちまちになる。しかし、回転刃の刃先は固定刃に対して正確に規定の位置に装着されていなければならない。そのために、回転刃を装着する際には、その一つ一つの刃先が正確に規定の位置になるよう、いわゆる現場合せにより微調整を繰り返して取り付けていた。
【０００７】
ところで、ロータリカッター１台にセットされるロータリーホルダは、処理能力によるが数枚からときには数十枚に及ぶことがあるので、装着される回転刃の数は数十、ときには１００を超える数になり、固定刃の数に較べて圧倒的に多い。これらの回転刃を一つ一つ刃先の位置を微調整しながら正確に取り付けるのには、可成りの労力と相当な熟練とを要する。とくに、リサイクル工程に使用されるロータリーカッタでは、回転刃の損耗が激しくその装着、調整等に要するコストを無視できない。本発明は、かかる回転刃の交換・装着等を容易に短時間で実施できるロータリーカッタ、及びその調整方法の提供を課題として完成されたものである。
【課題を解決するための手段】
【０００８】
従来は回転刃をロータリーホルダに装着する段階で、その都度、何らかの手段で刃先の位置を個々に調整し揃えていた。前記の課題を解決する手段として本発明は、回転刃を規定の長さに調整するため回転刃のボデーに調整用ボルトを取り付け、回転刃を装着する前にジグを用い、あらかじめ回転刃を規定の長さＬに均一・正確に調整しておいて、調整を終えた回転刃をそのままロータリーホルダの取付面に当てがって固定し、使用することを特長とする。
【発明の効果】
【０００９】
本発明に係るロータリーカッタでは、ロータリーホルダに回転刃を装着する前に、ジグを用いて回転刃を容易に素早く規定の長さＬに正確に調整し、調整を終えた回転刃を順次ロータリーホルダに装着すればよく装着時に特段の調整を必要としない。調整は、例えばボルト及び固定ナットで行い、さらに別の回転刃締付ボルトでロータリーカッタに締付け固定するとよい。装着後に個々の刃先の位置は正確に所定の位置にあるので、ただちに運転することができる。回転刃の極めて簡単な改造によって、回転刃の調整を容易に、そして回転刃の補修、交換に要する時間、労力を大きく低減させる効果がある。
【発明を実施するための最良の形態】
【００１０】
本発明について、図１〜図３を参照し、実施形態を例示しつつ具体的に説明する。図１は本発明に係る回転刃装着部分の回転軸直角方向断面例、図２は本発明に係るジグを用いた回転刃長さ調整例を示す説明図（回転刃長さ方向断面図）であり、図３は図２に示された調整例の平面図である。
【００１１】
ロータリーカッタは、回転刃５と固定刃６とで被処理物を剪断力により切断し、破砕する。従って、大きく効果的に剪断作用を奏させるため、回転刃及び固定刃の刃先の位置は切断対象物の物性、形状や刃先の特性等を勘案して厳密に設計され、規定されている。しかし、回転刃５は、前記のように損耗が激しいので、操業当初は規定の位置に揃えられていた刃先１４も使用時間と共に規定の位置から外れ、かつ次第にまちまちになる結果、ロータリーカッタの性能が低下し、ついには操作不能に至る。これを防ぐため、適時にロータリーカッタの運転を中止し、回転刃５を取り外して交換若しくは補修した後、再調整をしながら装着し直している。
【００１２】
ところで、ロータリーホルダ２の回転刃取付面１６は精密に加工されており、かつロータリーカッタの使用時間が経過しても、基本的に損耗して寸法が狂うようなことはない。
そこで、本願発明においては、ロータリーホルダの回転刃取付面１６を基準とする刃先１４の位置までの長さに準じ、回転刃の回転刃取付面１６に当接する面から刃先１４までの長さを装着時規定長さＬとする。また、回転刃の刃先１４の位置を揃えて均一にする目的に、各回転刃の刃元面１７に回転刃の長さを調整する調整ボルト７を取り付ける。そして、回転刃５の長さを規定寸法Ｌに調整するためのジグ９を用意し、これに回転刃取付面１６に当接しロータリホルダに取り付けられる回転刃５をセットして、調整ボルト７を含む回転刃５の長さを規定寸法Ｌにあわせるべく調節する。本例では調整された回転刃長さＬを固定ナット１５を用いて固定している。ジグ９の形状は、回転刃５を長さＬに設定できるものであればよく、その形状は図２の例示に限定されるものではない。長さ調整の済んだ回転刃５は、順次ロータリーホルダ先端の回転刃取付部に、例えば締付ボルト１０を利用して容易に装着することができる。回転刃の締付ボルト孔８は、調整代を見込んで長さ方向に若干の長孔にしておくとよい。
【産業上の利用可能性】
【００１３】
本願発明を利用することによって、ロータリーカッタにおける回転刃の装着、交換が極めて容易となり、短時間で実施できることとなる。とくに、回転刃数の多い、複数枚の海星状ロータリーホルダを重ね合わせて回転軸に取り付けられているロータリーカッタへの利用可能性が高い。なかでも、回転刃の損耗の激しいプラスチックや金属資源のリサイクル分野での利用効果が期待される。
【図面の簡単な説明】
【００１４】
【図１】本発明に係る回転刃取付部の回転軸直角方向断面例
【図２】ジグを用いた回転刃長さ調整例を示す説明図（回転刃長さ方向断面図）
【図３】図２に示された調整例の平面図
【図４】ロータリーカッタの軸方向断面の一例
【図５】図４においてケーシングの上面を取り去った内部平面図
【符号の説明】
【００１５】
１：回転軸                              ２：ロータリーホルダ
３：回転刃のチップ                      ４：回転刃のボデー
５：回転刃                              ６：固定刃
７：調整ボルト                          ８：回転刃締付ボルト孔
９：ジグ                              １０：回転刃締付ボルト
１１：ケーシング                        １２：被処理物の投入口
１３：スクリーン                        １４：回転刃の刃先：
１５：調整ボルト長さを固定するナット    １６：ロータリーホルダ回転刃取付面
１７：回転刃の刃元面
Ｌ：調整ボルトを含む回転刃の装着時規定長さ
【図１】
2007098340.tif 000003
【図２】
2007098340.tif 000004
【図３】
2007098340.tif 000005
【図４】
2007098340.tif 000006
【図５】
2007098340.tif 000007